(57)【要約】様々な通信システムにおいて、時間不連続送信が有利となりうる。例えば、狭帯域ＩｏＴ（Narrow Band Internet of Things：ＮＢ−ＩｏＴ）において、送信に十分な時間ダイバーシティがあれば、不要な繰り返しが避けられるという利点が得られうる。ある方法は、設定された期間中に制御チャネルおよびデータチャネル分割パターンを設定することを含みうる。この方法はさらに、前記制御チャネルおよびデータチャネル分割パターンに基づいて、少なくとも１つのユーザ端末と通信することを含みうる。【選択図】図５
2019503130.tif 000002
【特許請求の範囲】
【請求項１】
設定された期間中に制御チャネルおよびデータチャネル分割パターンを設定することと、
前記制御チャネルおよびデータチャネル分割パターンに基づいて、少なくとも１つのユーザ端末と通信することと、
を含み、
前記制御チャネルは少なくとも１つの制御領域を含み、前記データチャネルは少なくとも１つのデータ領域を含み、前記少なくとも１つの制御／データ領域は時間領域における少なくとも１つのサブフレームを含む、方法。
【請求項２】
前記期間の開始時点および長さが設定可能である、請求項１に記載の方法。
【請求項３】
前記制御およびデータチャネル分割パターンは、セル特有の制御チャネルおよびデータチャネル分割パターンと、ユーザ端末特有の制御およびデータチャネル分割パターンとのうちの少なくとも一方を含む、請求項１に記載の方法。
【請求項４】
前記セル特有の制御チャネルおよびデータチャネル分割パターンと、前記ユーザ端末特有の制御チャネルおよびデータチャネル分割パターンとのうちの少なくとも一方を設定することは、物理層シグナリングまたは上位層シグナリングにより実行される、請求項３に記載の方法。
【請求項５】
前記セル特有の制御チャネルおよびデータチャネル分割パターンは、システム情報ブロックまたはマスター情報ブロックを使用して前記ユーザ端末に対してシグナリングされる、請求項３に記載の方法。
【請求項６】
前記ユーザ端末特有の制御チャネルおよびデータチャネル分割パターンは、前記セル特有の制御チャネルおよびデータチャネル分割パターン、およびアクセスノードからシグナリングされたさらなる標示から推定可能である、請求項３に記載の方法。
【請求項７】
前記セル特有の制御チャネルおよびデータチャネル分割パターンと、前記ユーザ端末特有の制御チャネルおよびデータチャネル分割パターンとのうちの少なくとも一方を設定することは、物理ダウンリンクスケジューリングチャネル不連続送信の少なくとも１つの有効サブフレームを定義することを含む、請求項３に記載の方法。
【請求項８】
予定された送信が連続または不連続であることを標示することをさらに含む、請求項７に記載の方法。
【請求項９】
開始サブフレームを前記開始時点として標示することをさらに含む、請求項２に記載の方法。
【請求項１０】
前記期間中の制御領域の数およびデータ領域の数を標示することをさらに含む、請求項１に記載の方法。
【請求項１１】
前記制御領域およびデータ領域それぞれのサイズを標示することをさらに含む、請求項１０に記載の方法。
【請求項１２】
前記期間における、前記ユーザ端末がキャンプオンする制御領域を標示することをさらに含む、請求項１に記載の方法。
【請求項１３】
前記キャンプオンされる制御領域の周期性を標示することをさらに含む、請求項１２に記載の方法。
【請求項１４】
前記期間における、少なくとも１つの予定データ領域を標示することをさらに含む、請求項１に記載の方法。
【請求項１５】
前記予定データ領域における予定物理リソースを標示することをさらに含む、請求項１４に記載の方法。
【請求項１６】
前記少なくとも１つの予定データ領域内の、前記少なくとも１つの予定データ領域または予定物理リソースブロックの繰り返し数を標示することをさらに含む、請求項１４に記載の方法。
【請求項１７】
前記ユーザ端末特有の制御チャネルおよびデータチャネル分割パターンまたは前記セル特有の制御チャネルおよびデータチャネル分割パターンの最小単位が、常に各サブフレームにおける物理リソースブロック内のリソース要素のすべてであるか、アクセスノードによりリソース要素のすべてまたは一部として設定可能である、請求項３に記載の方法。
【請求項１８】
前記ユーザ端末特有の制御チャネルおよびデータチャネル分割パターンまたは前記セル特有の制御チャネルおよびデータチャネル分割パターンの最小単位が、前記制御チャネルに対してはリソース要素すべてであり、前記データチャネルに対してはアクセスノードの構成に応じてリソース要素の一部またはすべてとなる、請求項３に記載の方法。
【請求項１９】
設定された期間中に制御チャネルおよびデータチャネル分割パターンを受信することと、
前記制御チャネルおよびデータチャネル分割パターンに基づいて、アクセスノードを通信することと、
を含み、
前記制御チャネルは少なくとも１つの制御領域を含み、前記データチャネルは少なくとも１つのデータ領域を含み、前記少なくとも１つの制御／データ領域は時間領域における少なくとも１つのサブフレームを含む、方法。
【請求項２０】
前記期間の開始時点および長さが設定可能である、請求項１９に記載の方法。
【請求項２１】
前記制御およびデータチャネル分割パターンは、セル特有の制御チャネルおよびデータチャネル分割パターンと、ユーザ端末特有の制御およびデータチャネル分割パターンとのうちの少なくとも一方を含む、請求項１９に記載の方法。
【請求項２２】
請求項１から２１のいずれかに記載の方法を実施する手段を備える、装置。
【請求項２３】
少なくとも１つのプロセッサと、
コンピュータプログラムコードを含む少なくとも１つのメモリと、
を備える装置であって、前記少なくとも１つのメモリおよび前記コンピュータプログラムコードは、前記少なくとも１つのプロセッサにより、前記装置に請求項１から２１のいずれかに記載の方法を少なくとも遂行させるように構成される、装置。
【請求項２４】
請求項１から２１のいずれかに記載の方法を遂行するための命令を符号化するコンピュータプログラム製品。
【請求項２５】
ハードウェアにおいて実行されると、請求項１から２１のいずれかに記載の方法を含むプロセスを実施する命令によって符号化された非一時的コンピュータ可読媒体。
【発明の詳細な説明】
【技術分野】
【０００１】
様々な通信システムにおいて、時間不連続送信が有利となりうる。例えば、狭帯域ＩｏＴ（Narrow Band Internet of Things：ＮＢ−ＩｏＴ）において、送信に十分な時間ダイバーシティがあれば、不要な繰り返しが避けられるという利点が得られうる。
【背景】
【０００２】
狭帯域ＩｏＴ（ＮＢ−ＩｏＴ）は、少なくとも以下の３つの動作状況が考えられる。
・  １または複数のＧＳＭ（登録商標）キャリアの代わりに例えばＧＥＲＡＮシステムで現在使用されているスペクトルを利用する、スタンドアローン動作。
・  ＬＴＥキャリアのガードバンド内の未使用リソースブロックを利用する、ガードバンド動作。
・  通常のＬＴＥキャリア内のリソースブロックを利用する、インバンド動作
【０００３】
ＮＢ−ＩｏＴは、最大２０ｄＢのカバレッジ拡張、多量の低スループットデバイス、低遅延感度、超低デバイスコスト、低デバイス電力消費、（最適化された）ネットワーク構造を実現する。
【０００４】
ＮＢ−ＩｏＴアップリンク（ＵＬ）は、シングルトーン送信に対応してもよい。シングルトーン送信では、３．７５ｋＨｚと、１５ｋＨｚの２つの数値が設定可能であってもよい。サイクリックプレフィックスが挿入されたり、物理層での周波数領域Ｓｉｎｃパルス整形が行われたりしてもよい。
【０００５】
また、マルチトーン送信に対応してもよい。マルチトーン送信は、ＳＣ−ＦＤＭＡに基づいてもよい。マルチトーン送信のサブキャリア間隔は１５ｋＨｚ  ＵＬであってもよい。ＵＥは、シングルトーンに対応するかマルチトーンに対応するかを示してもよい。
【０００６】
図１は、ダウンリンクＮＢ−ＩｏＴのサブキャリア間隔とチャネル帯域幅を示す。ダウンリンク伝送は、スタンドアローン、ガードバンド、インバンドという上述の状況すべてにおいて、サブキャリア間隔が１５ｋＨｚであってもよい。したがって、ダウンリンク伝送は図１に示すように、ＬＴＥ  ＰＲＢを１つのみ、すなわち１８０ｋＨｚの送信帯域幅を独占するものであってもよい。
【０００７】
ＮＢ−ＩｏＴは、２つ以上のダウンリンク（ＤＬ）送信（Ｔｘ）アンテナポートにより動作に対応してもよい。ＤＬ  Ｔｘアンテナポートが２つの場合、ＮＢ−ＩｏＴはＳＦＢＣを利用してもよい。
【摘要】
【０００８】
ある実施形態による方法は、設定された期間中に制御チャネルおよびデータチャネル分割パターンを設定することを含みうる。この方法はさらに、前記制御チャネルおよびデータチャネル分割パターンに基づいて、少なくとも１つのユーザ端末と通信することを含みうる。前記制御チャネルは少なくとも１つの制御領域を含みうる。前記データチャネルは少なくとも１つのデータ領域を含みうる。前記少なくとも１つの制御／データ領域は時間領域における少なくとも１つのサブフレームを含みうる。
【０００９】
ある実施形態における方法は、設定された期間中に制御チャネルおよびデータチャネル分割パターンを受信することを含みうる。この方法はさらに、前記制御チャネルおよびデータチャネル分割パターンに基づいて、アクセスノードを通信することを含みうる。前記制御チャネルは少なくとも１つの制御領域を含みうる。前記データチャネルは少なくとも１つのデータ領域を含みうる。前記少なくとも１つの制御／データ領域は時間領域における少なくとも１つのサブフレームを含みうる。
【００１０】
ある実施形態による装置は、上述の方法のいずれかを実施する手段を含みうる。
【００１１】
ある実施形態における装置は、少なくとも１つのプロセッサと、コンピュータプログラムコードを含む少なくとも１つのメモリとを含みうる。前記少なくとも１つのメモリおよび前記コンピュータプログラムコードは、前記少なくとも１つのプロセッサにより、前記装置に上述の方法のいずれかを少なくとも実施させるように構成されることができる。
【００１２】
ある実施形態によるコンピュータプログラム製品は、上述の方法のいずれかを実施するための命令を符号化することができる。
【００１３】
ある実施形態における非一時的コンピュータ可読媒体は、ハードウェアにおいて実行されると、プロセスを実施する命令によって符号化することができる。前記プロセスは、上述の方法のいずれかを含みうる。
【図面の簡単な説明】
【００１４】
本発明が十分に理解されるように、以下の添付の図面を参照する。
【００１５】
【図１】図１は、ダウンリンクＮＢ−ＩｏＴのサブキャリア間隔とチャネル帯域幅を示す。
【００１６】
【図２Ａ】図２Ａは、ある実施形態によるセル特有の分割パターンおよびユーザ端末（ＵＥ）特有の分割パターンの例を示す。
【００１７】
【図２Ｂ】図２Ｂは、ある実施形態によるセル特有の分割パターンおよびＵＥ特有の分割パターンの別の例を示す。
【００１８】
【図２Ｃ】図２Ｃは、ある実施形態による時間粒度が異なるＵＥ特有の制御チャネルおよびデータチャネル分割パターンを示す。
【００１９】
【図３】図３は、ある実施形態による繰り返しレベルが中から高レベルのＵＥに対するデータチャネルの繰り返しを示す。
【００２０】
【図４Ａ】図４Ａは、ある実施形態による繰り返しレベルが低レベルのＵＥの送信を示す。
【００２１】
【図４Ｂ】図４Ｂは、ある実施形態による最小単位が４つのリソース要素である例を示す。
【００２２】
【図４Ｃ】図４Ｃは、ある実施形態による制御およびデータチャネルにリソース要素を使用しうる例を示す。
【００２３】
【図５】図５は、ある実施形態による方法を示す。
【００２４】
【図６】図６は、ある実施形態によるシステムを示す。
【詳細説明】
【００２５】
各サブフレームにおいて、各特定のＮＢ−ＩｏＴのユーザ端末（ＵＥ）によりアクセス可能な物理リソースブロック（Physical Resource Block：ＰＲＢ）は１つのみであるため、カバレッジ拡張ＮＢ−ＩｏＴのＵＥには非常に多くの繰り返し数が求められうる。繰り返し数が低減すれば、ＵＥ側の検出に要する電力消費が低減されうる。また、繰り返し数が多いと、ブロッキング率も高くなりうる。これは、繰り返し中はただ１つの特定ＵＥによりすべてのリソースが独占され、その繰り返し中にその他のＵＥは無駄なＮＢ−ＰＤＣＣＨ検出を実行するためである。このような繰り返しと無駄な検出により、ＵＥ側の電力消費が大きくなってしまう。これに対して、ある実施形態は繰り返し数の低減に寄与しうる。
【００２６】
制御およびデータ送信に使用されるＰＲＢが１つのみでありうるため、ＵＥによって得られる周波数ダイバーシティゲインは少なく、可能性があるとしてもインバンド構成のみである。また、利用可能なアンテナポートが最大でも２つのみで、ＳＦＢＣのみが送信方式として利用される場合、ＮＢ−ＩｏＴのＵＥにはプリコーディングゲインが一切ないこともありうる。したがって、ある実施形態では、送信中にダイバーシティゲインをより多く導入することで、繰り返し数を低減してもよい。
【００２７】
より具体的には、ある実施形態では、時間領域ダイバーシティゲインを実現するために、ＵＥに対して時間不連続送信方式を採用してもよい。当該方式により、繰り返し数が低減されうる。さらに、ある実施形態は、総送信時間の短縮、ひいては検出時間の短縮に寄与しうる。ある実施形態は、各期間中にセル特有およびＵＥ特有の制御チャネルおよびデータチャネル分割パターンを設けうる。当該期間の開始時点および長さは設定可能であってもよい。
【００２８】
セル特有の分割パターンは、システム情報ブロック（System Information Block：ＳＩＢ）またはマスター情報ブロック（Master Information Block：ＭＩＢ）等におけるブロードキャストによるシグナリングにより、ＵＥに対して標示可能である。各期間中に制御領域およびデータ領域はそれぞれ複数存在してもよく、そのサイズは同じでも、互いに異なっていてもよい。各制御領域により、異なるカバレッジ拡張（Coverage Enhancement：ＣＥ）型ＵＥまたは、Ｃ−ＲＮＴＩ（Cell-Radio Network Temporary Identifier）が異なる複数のＵＥのスケジューリングを実行できる。
【００２９】
ＵＥ特有の分割パターンは、セル特有の分割パターン、およびｅＮｏｄｅＢ（evolved Node B：ｅＮＢ）等のアクセスノードからの、例えばＵＥ特有の無線リソース制御（Radio Resource Control：ＲＲＣ）シグナリングのような、いずれの制御領域にキャンプオンする必要があるかに関するシグナリングから推定可能である。時間分割多重（Time Division Multiplexing：ＴＤＭ）により制御およびデータ領域を多重化する場合、各期間中の制御領域は当該期間の冒頭に生じ、ＵＥはその他の制御領域を含む残りのすべての領域をデータ領域候補とみなしてもよい。これにより、ｅＮＢ等のアクセスノードが、制御情報が一切送信されていないその他の制御領域において、データを送信することが可能となる。各期間中のデータ領域には、ｅＮＢまたはその他のアクセスノードにより任意の（１または複数の）データ領域でのＤＬデータ送信のスケジューリングが可能となるように固有の番号が付されている。
【００３０】
図２Ａは、ある実施形態によるセル特有の分割パターンおよびＵＥ特有の分割パターンの例を示す。図２Ａのセル特有の分割パターンでは、各期間がそれぞれサイズｋ１およびｋ２を有する２つの制御領域Ｃ１およびＣ２と、それぞれサイズｋ３およびｋ４を有する２つのデータ領域とを含む。
【００３１】
図２Ｂは、ある実施形態によるセル特有の分割パターンおよびＵＥ特有の分割パターンの別の例を示す。図２ＢのＵＥ特有の分割パターンでは、ＵＥは制御領域であるＣ１にキャンプオンし、データ領域には番号Ｄ１、Ｄ２、Ｄ３が付されている。この例では、Ｃ１がサイズｋ１を有し、Ｄ１、Ｄ２、Ｄ３がそれぞれサイズｋ２、ｋ３、ｋ４を有する。
【００３２】
さらに、制御領域は異なる時間粒度で多重化されてもよい。例えば、図２Ｃは、ある実施形態による時間粒度が異なるＵＥ特有の制御チャネルおよびデータチャネル分割パターンを示す。この場合、セル特有の制御チャネル割当は、異なる繰り返し回数を要する複数のＵＥに適合する異なる周期で送信されてもよい。例えば、図２Ａの例に類似する第１期間と、図２Ｂの例に類似する第２期間を有してもよい。
【００３３】
繰り返しレベルが中から高レベルであるカバレッジ拡張（ＣＥ）型ＵＥの場合、各期間において時間領域のスケジューリング粒度が複数存在しうる。図２Ｂの例においては、｛Ｄ１｝、｛Ｄ１、Ｄ２｝、｛Ｄ１、Ｄ２、Ｄ３｝、｛Ｄ２｝、｛Ｄ２、Ｄ３｝、｛Ｄ３｝というスケジューリング粒度であってもよい。スケジューリング粒度は、３ビットを使用するダウンリンク制御情報（Downlink Control Information：ＤＣＩ）により標示されてもよいし、無線リソース制御（Radio Resource Control：ＲＲＣ）で設定されてもよい。
【００３４】
図３は、ある実施形態による繰り返しレベルが中から高レベルのＵＥに対するデータチャネルの繰り返しを示す。繰り返しの際、例えばｅＮＢのようなアクセスノードは、各期間中で予定データ領域のみを送信してもよい。したがって、例えば（図３に示すように）｛Ｄ２｝がスケジューリングされると、繰り返し終了まで、各期間中で各｛Ｄ２｝に繰り返しが発生してもよい。これにより、繰り返し送信中に、ＵＥは時間ダイバーシティゲインを得られる。また、｛Ｄ１、Ｄ２、Ｄ３｝がスケジューリングされると、ｅＮＢは最短で送信を完了できる。これにより、送信レイテンシが低減されうる。スケジューリングＤＣＩにおける繰り返しレベルは、｛Ｄ２｝のサイズを１単位として、繰り返し単位数を標示することができる。
【００３５】
図４Ａは、ある実施形態による繰り返しレベルが低レベルであるＵＥの送信を示す。繰り返しを伴わない、または繰り返しレベルが低いＣＥ型ＵＥの場合、ある実施形態では、時間ダイバーシティゲインを実現するためにより詳細なスケジューリング粒度を導入してもよい。繰り返しレベルが中から高レベルであるＵＥの場合と同様に、ここでのＵＥはデータ領域インデックスにより標示することができ、割当領域内の割当ＰＲＢにより標示することができる。
【００３６】
図４Ａは、ＵＥが｛Ｄ２｝および｛Ｄ２｝内の４つのＰＲＢまたはサブフレームにより標示される一例を示す。これら４つのＰＲＢは、図示のように、それぞれ２つのＰＲＢを含む２つのグループに分けられる。これら２種類の標示は、同一のＤＣＩ内で異なる項目に関連付けられてもよいし、第１の標示が上位層シグナリングによって示され、第２の標示が物理層シグナリングによって示されてもよい。スケジューリングＤＣＩにおける繰り返しレベルは、２つまたは４つのＰＲＢを１単位として、繰り返し単位数を示すことができる。
【００３７】
あるいは、ｅＮＢはＰＤＳＣＨ不連続送信における有効サブフレームを定義できる。これらのサブフレームは、連続送信を利用するＵＥにとっては無効サブフレームとなりうる。例えば、有効サブフレームは、各期間中のデータ領域であってもよいし、あるいはｅＮＢは新たな期間中のパターンを、ビットマップを介してシグナリングしてもよい。
【００３８】
ＰＤＣＣＨスケジューリングは、不連続送信と連続送信との間で同じであってもよい。ｅＮＢは、ＤＣＩにおいて、送信が連続か不連続かを標示してもよい。
【００３９】
ＰＤＣＣＨおよびＰＤＳＣＨの送信は、周期的または非周期的に実行されてもよい。周期的送信の場合、ＵＥはデータまたは制御チャネルが時間的に周期的な位置にあると期待でき、その位置は連続または不連続であってもよい。非周期的送信の場合、ビットマップに応じて送信インスタンスがＵＥに対してシグナリングされてもよい。
【００４０】
ＤＣＩが連続送信（Ｔｘ）を標示する場合、連続Ｔｘにおける有効サブフレームでのみ送信されてもよい。不連続Ｔｘの場合も同様である。ＵＥは、無効な種類のサブフレームの場合にＴｘを延期できる。
【００４１】
あるいは、あらかじめ定義されたパターンを利用せず、固定のタイミング、またはｅＮＢが例えばＨＡＲＱ再送信のタイミングを代わりに利用して設定したタイミングを利用して、繰り返し送信が行われてもよい。例えば、サブフレーム数が４であれば、サブフレームを４連続とするのではなく、第１のサブフレームをｘで送信し、第２のサブフレームをｘ＋Ｎで送信してもよい。ｘ＋Ｎは、第１のサブフレームが否定応答された場合のように、再送信に利用されるサブフレームとなる。これは半二重処理であるため、ＨＡＲＱ処理が１つのみでも、ＨＡＲＱ送信間に十分な間隔があるため、時間ダイバーシティが実現できる。
【００４２】
上述の実施形態では、各サブフレームにおけるＰＲＢ内のすべてのＲＥを常に最小単位としてもよいし、ｅＮＢの構成に応じて、ＰＲＢ内のすべてまたは一部のＲＥを最小単位としてもよい。あるいは、制御チャネルが期間中のすべてのＲＥを常に最小単位とし、データチャネルがＰＲＢ内のすべてまたは一部のＲＥを最小単位としてもよい。
【００４３】
図４Ｂは、ある実施形態による最小単位が４つのリソース要素である例を示す。より具体的には、図４Ｂは、各ＰＲＢについて１２のＲＥのうち、４つのＲＥをセル特有の制御およびデータチャネル分割の最小単位とした一例を示す。
【００４４】
図４Ｃは、ある実施形態による制御およびデータチャネルにリソース要素を使用しうる例を示す。具体的には、図４Ｃは、制御チャネルにすべてのＲＥを、データチャネルに４つのＲＥを使用する例を示す。このような部分的なＰＲＢ送信では、複数の制御およびデータチャネルが時間、周波数で多重化できるため、時間および周波数ダイバーシティが実現できる。１ＰＲＢ内で、周波数ホッピングが行われてもよい。
【００４５】
上述の実施形態は、各種実現されてもよい。例えば、ｅＮＢ等のアクセスノードの動作は、以下のとおりであってもよい。ｅＮＢは、上位層シグナリングまたは物理層シグナリングのいずれかによって、以下のうちの任意のもの、その組み合わせ、またはすべてを設定してもよい。
・  定義された各セル特有の制御チャネルおよびデータチャネルパターン内の、ある期間の開始サブフレームおよびサイズ
・  各期間中の制御領域の数、データ領域の数、および各領域のサイズ
・  各制御領域の周期性
・  ＵＥがキャンプオンするべき制御領域
・  各期間中の（１または複数の）予定データ領域
・  予定データ領域における予定ＰＲＢ
・  予定データ領域中の（１または複数の）予定データ領域または予定ＰＲＢの繰り返し数
【００４６】
さらに／あるいは、ｅＮＢまたはその他アクセスノードは、以下のうちの一方または両方を標示してもよい。
・  不連続送信の有効サブフレームパターン
・  予定されているのが連続送信か、不連続送信か
【００４７】
上述の構成において、標示および定義の最小単位は、常に各サブフレームのＰＲＢ内のＲＥのすべてとしてもよいし、ｅＮＢの構成に応じてＰＲＢ内のＲＥのすべてまたは一部としてもよいし、あるいは制御チャネルがＲＥのすべてを最小単位とする一方、データチャネルがＲＥのすべてまたは一部を最小単位とするものであってもよい。これらの要素は、さらに異なるように各種入れ替えたり組み合わせたりしてもよい。
【００４８】
ＵＥは、アクセスノード動作に基づいて動作してもよい。例えば、ＵＥはｅＮＢの設定を引き継ぎ、ＵＥ特有の制御およびデータ分割パターンを決定してもよい。その後、ＵＥは各期間中の制御領域におけるＮＢ−ＰＤＣＣＨを検出して、予定リソースにおけるＮＢ−ＰＤＳＣＨを検出してもよい。
【００４９】
図５は、ある実施形態による方法を示す。図５に示すように、方法は、５１０において、ある期間中にセル特有の制御チャネル分割パターンを設定することを含みうる。方法はさらに、５２０において、当該期間中にユーザ端末特有の制御チャネル分割パターンを設定することを含みうる。方法はさらに、５３０において、当該期間中にデータチャネル分割パターンを設定することを含みうる。独立して図示されているデータチャネル分割パターンの設定は、セル特有の設定の一部として、またユーザ端末特有の設定や制御チャネル分割パターン設定の一部として実行されてもよい。
【００５０】
したがって、５１０、５２０、５３０における設定は、設定された期間中に制御チャネルおよびデータチャネル分割パターンを設定することを含みうる。ある実施形態では、分割パターンはセル特有およびユーザ端末特有のうちの一方または両方であってもよい。
【００５１】
方法はさらに、５４０において、制御チャネルおよびデータチャネル分割パターンに基づいて、少なくとも１つのユーザ端末と通信することを含む。制御チャネルおよびデータチャネル分割パターンは、例えばセル特有の制御チャネル分割パターン、ユーザ端末特有の制御チャネル分割パターン、および／またはデータチャネル分割パターンである。
【００５２】
期間の開始時点と長さは設定可能であってもよい。設定されたチャネル構成には、図２Ａ、２Ｂ、２Ｃ、３、４Ａ、４Ｂ、４Ｃに示すものを含む、幅広い選択肢がある。制御チャネルは少なくとも１つの制御領域を含むことができ、データチャネルは少なくとも１つのデータ領域を含むことができ、少なくとも１つの制御／データ領域は時間領域に少なくとも１つのサブフレームを含みうる。
【００５３】
セル特有の制御チャネル分割パターン、ユーザ端末特有の制御チャネル分割パターン、またはデータチャネル分割パターンの設定は、物理層シグナリングまたは上位層シグナリングにより実行可能である。
【００５４】
システム情報ブロック、マスター情報ブロック、またはその他任意のブロードキャスト機構により、セル特有の制御チャネル分割パターンがユーザ端末に対してシグナリング可能である。
【００５５】
上述のように、ユーザ端末特有の制御チャネル分割パターンは、セル特有の制御チャネル分割パターン、およびｅＮＢ等のアクセスノードからシグナリングされたさらなる標示から導出可能である。
【００５６】
セル特有の制御チャネル分割パターン、ユーザ端末特有の制御チャネル分割パターン、データチャネル分割パターンのうちの少なくとも１つを設定することは、５５０において、物理ダウンリンクスケジューリングチャネル不連続送信の少なくとも１つの有効サブフレームを定義することを含みうる。上述のように、方法はさらに、５５５において、予定送信が連続送信であるか不連続送信であるかを標示すること含みうる。
【００５７】
方法はさらに、５６０において、開始サブフレームを開示時点として標示することを含みうる。方法はさらに、５６２において、期間中の制御領域数およびデータ領域数を標示することを含みうる。方法はさらに、５６４において、制御領域およびデータ領域それぞれのサイズを標示することを含みうる。方法はさらに、５６６において、制御領域の周期性を標示することを含みうる。
【００５８】
方法はさらに、５６８において、期間中にユーザ端末がキャンプオンする制御領域を標示することを含みうる。方法さらに、５７０において、期間中に少なくとも１つの予定データ領域を標示することを含みうる。方法はさらに、５７２において、予定データ領域内の予定物理リソースブロックを標示することを含みうる。方法はさらに、５７４において、少なくとも１つの予定データ領域内の、少なくとも１つの予定データ領域または予定物理リソースブロックの繰り返し数を標示することを含みうる。
【００５９】
図５における上述の特徴は、上述のとおりｅＮＢ等のアクセスノードにより実行される工程または機能であってもよい。以下の特徴はユーザ端末により実現されてもよい。５６０〜５７４等におけるもののような、設定の標示態様のそれぞれについて、ユーザ端末において当該標示を受信して処理する繰り返し工程が設けられてもよい。このような繰り返し工程は、ただ図示の簡略化、見易さのために省略されているに過ぎない。同様に、ステップ５５０、５５５に応じて、各種データおよび／または制御チャネルを構成するために代替案を講じた場合、それらステップ、不連続送信で有効なフレームであるのかを特定する工程や、予定送信が連続か不連続かを判定する工程があってもよい。
【００６０】
図５に示すように、方法は５８０において、ある期間中にセル特有の制御チャネル分割パターンを受信することを含みうる。方法はさらに、５８２において、当該期間中にユーザ端末特有の制御チャネル分割パターンを判定することを含みうる。方法はさらに、５８４において、当該期間中にデータチャネル分割パターンを判定することを含みうる。これらの判定は、アクセスノードからの明示的または暗示的シグナリングに基づくものであってもよい。
【００６１】
方法はさらに、５９０において、セル特有の制御チャネル分割パターン、ユーザ端末特有の制御チャネル分割パターン、およびデータチャネル分割パターンに基づいてアクセスノードと通信することを含みうる。上述のように、期間の開始時点および長さは設定可能である。
【００６２】
図６は、本発明のある実施形態によるシステムを示す。なお、図５のフローチャートにおける各ブロックは、ハードウェア、ソフトウェア、ファームウェア、１または複数のプロセッサおよび／または回路等の各種手段またはその組み合わせで実現可能であることが理解されよう。一実施形態において、システムは例えばネットワーク要素６１０およびユーザ端末（ＵＥ）またはユーザデバイス６２０のような複数のデバイスを含んでもよい。システムは２つ以上のＵＥ６２０および２つ以上のネットワーク要素６１０を含んでもよいが、図示簡略化のために、それぞれ１つのみ示されている。ネットワーク要素は、アクセスポイント、基地局、ｅＮｏｄｅＢ（ｅＮＢ）、またはその他任意のネットワーク要素であってもよい。これらのデバイスはそれぞれ、６１４および６２４で示される少なくとも１つのプロセッサ、制御ユニットまたはモジュールを含んでもよい。各デバイスには、６１５および６２５で示すように、少なくとも１つのメモリが設けられてもよい。当該メモリは、例えば上述の実施形態を実現するための、コンピュータプログラム命令またはコンピュータを内部に格納してもよい。さらに、１または複数の送受信機６１６、６２６が設けられ、各デバイスは６１７および６２７で示すアンテナも含んでもよい。それぞれアンテナが１つ設けられるように図示されているが、各デバイスには多数のアンテナおよび複数のアンテナ素子が設けられてもよい。例えば、これらデバイスの別の構成が採用されてもよい。例えば、ネットワーク要素６１０およびＵＥ６２０は、無線通信に加え、さらに有線通信用に構成されてもよく、そのような構成では、アンテナ６１７および６２７は、アンテナに限らず、任意の形態の通信ハードウェアを示すものであってもよい。
【００６３】
送受信機６１６および６２６はそれぞれ、他方の構成に関わりなく、送信機、受信機、送信機兼受信機、または送信および受信の両方用に構成されうるユニットまたはデバイスであってもよい。送信機および／または受信機は（無線部に関する限り）、デバイスそのものに設けられるのではなく、例えばアンテナ塔に設けられたリモートラジオヘッドとして実現されてもよい。なお、「リキッド（liquid、流動的）」や柔軟な無線概念では、動作や機能は、ノード、ホスト、サーバ等異なるエンティティで柔軟に実行されてもよい。言い換えると、状況に応じて様々な分業体制を敷いてよい。一つの可能な構成として、ネットワーク要素にローカルコンテンツを配信させてもよい。１つ以上の機能が、サーバ上で動作可能なソフトウェアとして設けられる仮想アプリケーションとして実現されてもよい。
【００６４】
ユーザデバイスまたはユーザ端末６２０は、移動局（ＭＳ）であってもよい。このＭＳの例としては、携帯電話、スマートフォン、マルチメディアデバイス、無線通信機能付きのタブレット等のコンピュータ、無線通信機能付きの携帯情報端末（Personal Data/Digital Assistant：ＰＤＡ）、ポータブルメディアプレイヤー、デジタルカメラ、ポケットビデオカメラ、無線通信機能付きのナビゲーションユニット、またはこれらの任意の組み合わせが挙げられる。ユーザデバイスまたはユーザ端末６２０は、センサ、スマートメータ、または通常は単一の場所に設定できるその他のデバイスであってもよい。
【００６５】
例示的な実施形態では、ノードまたはユーザデバイス等の装置が、図５に関連して説明した実施形態を実行する手段を備えてもよい。
【００６６】
プロセッサ６１４および６２４は、任意の計算またはデータ処理デバイスによって実施されてもよい。このデバイスの例としては、中央演算装置（Central Processing Unit：ＣＰＵ）、デジタル信号プロセッサ（Digital Signal Processor：ＤＳＰ）、特定用途向け集積回路（Application Specific Integrated Circuit：ＡＳＩＣ）、プログラム可能論理回路（Programmable Logic Device：ＰＬＤ）、フィールドプログラマブルゲートアレイ（ＦＰＧＡ）、デジタル強調回路（digitally enhanced circuit）、これらと同等なデバイス、またはこれらの組み合わせが挙げられる。プロセッサは、単一のコントローラとして、または複数のコントローラやプロセッサとして実現されてもよい。さらに、プロセッサは、ローカル構成、クラウド構成、またはこれらの組み合わせにおけるプロセッサのプールとして実現されてもよい。
【００６７】
ファームウェアまたはソフトウェアの場合、モジュールまたは少なくとも１つのチップ群（例えば手順、機能等）の単位により実現されてもよい。メモリ６１５および６２５はそれぞれ、他方の構成に関わりなく、非一時的コンピュータ可読媒体のような任意の適切な記憶装置であってもよい。ハードディスクドライブ（ＨＤＤ）、ランダムアクセスメモリ（ＲＡＭ）、フラッシュメモリ、またはその他の適切なメモリを使用してもよい。メモリは、プロセッサとしての単一の集積回路に組み合わされてもよいし、これから独立していてもよい。メモリに記憶され、プロセッサにより処理されうるコンピュータプログラム命令は、任意の適切な形態のコンピュータプログラムコードであってもよい。例えば、任意の適切なプログラム言語で書かれたコンパイル方式またはインタプリタ方式のコンピュータプログラムであってもよい。メモリまたはデータ記憶エンティティは、通常内蔵型だが、外付けであっても、それらを組み合わせた形態であってもよい。すなわち、追加のメモリ容量がサービスプロバイダから提供されるような状況でもよい。メモリは備え付けでも、取り外し可能であってもよい。
【００６８】
メモリおよびコンピュータプログラム命令は、特定のデバイス用のプロセッサにより、ネットワーク要素６１０および／またはＵＥ６２０等のハードウェア装置に、上述の処理のうちの任意のものを実行させるように構成されてもよい（例えば、図５参照）。したがって、ある実施形態では、ハードウェアにおいて実行されると本明細書に記載したプロセスのうちの１つのようなプロセスを実行するコンピュータ命令または１または複数のコンピュータプログラム（追加または更新ソフトウェアルーチン、アプレットまたはマクロ）により、非一時的コンピュータ可読媒体が符号化されてもよい。コンピュータプログラムは、Ｏｂｊｅｃｔｉｖｅ−Ｃ、Ｃ、Ｃ＋＋、Ｃ＃、Ｊａｖａ（登録商標）等の高級言語、機械語のような低級言語のようなプログラミング言語、またはアセンブラによりコード化されてもよい。あるいは、本発明のある実施形態はすべてハードウェアで実現されてもよい。
【００６９】
さらに、図６ではネットワーク要素６１０およびＵＥ６２０が含まれるシステムが図示されているが、本明細書において上述のとおり、また図示のとおりに、本発明の実施形態は、その他の構成や、追加要素をさらに含む構成にも適用可能である。例えば、ユーザ端末デバイスおよびネットワーク要素が複数存在してもよいし、あるいはそれと同様の機能を提供する別のノードが存在してもよい。これには、ユーザ端末と、リレーノードのようなアクセスポイントの機能を組み合わせたノードが挙げられる。
【００７０】
各種実施形態には利点や長所がありうる。例えば、上記構成の時間不連続送信により、ＵＥが時間ダイバーシティゲインを得られて、繰り返し数が低減できる。また、ある実施形態ではＮＢ−ＩｏＴトラフィックの負荷に応じて、柔軟にリソースの割当が可能となる。
【００７１】
当業者であれば、上述の本発明は、異なる順序の工程で実施しうることや、開示されたものとは異なる構成のハードウェア要素で実施しうることを容易に理解するであろう。したがって、本発明は好適な実施形態に基づいて説明されているが、当業者には、本発明の趣旨と範囲から逸脱することなくある種の変形例、変更、および代替の構造を採りうることが自明であろう。
【００７２】
省略表記一覧
【００７３】
３ＧＰＰ：  3rd Generation Partnership Project
【００７４】
ＬＴＥ：  （Long Term Evolution）ロングタームエボリューション
【００７５】
ＭＴＣ：  （Machine Type Communication）マシン型通信
【００７６】
ＮＢ−ＩｏＴ：  （Narrow Band - Internet of Things）狭帯域ＩｏＴ
【００７７】
ＣＥ：  （Coverage Enhanced）カバレッジ拡張
【００７８】
ＳＦＢＣ：  （Space Frequency Block Code）空間周波数ブロックコード
【００７９】
ｅＮＢ：  （evolved Node B）ｅＮｏｄｅＢ
【００８０】
ＵＥ：  （User Equipment）ユーザ端末
【００８１】
ＤＬ：  （Downlink）ダウンリンク
【００８２】
ＵＬ：  （Uplink）アップリンク
【００８３】
ＲＲＣ：  （Radio Resource Control）無線リソース制御
【００８４】
ＰＲＢ：  （Physical Resource Block）物理リソースブロック
【００８５】
ＰＤＳＣＨ：  （Physical Downlink Sharing Channel）物理ダウンリンク共有チャネル
【００８６】
ＮＢ−ＰＤＳＣＨ：  （Narrow Band PDSCH）狭帯域ＰＤＳＣＨ
【００８７】
ＤＣＩ：  （Downlink Control Information）ダウンリンク制御情報
【００８８】
ＰＤＣＣＨ：  （Physical Downlink Control Channel）物理ダウンリンク制御チャネル
【００８９】
ＮＢ−ＰＤＣＣＨ：  （Narrow Band PDCCH）狭帯域ＰＤＣＣＨ
【図１】
2019503130.tif 000003
【図２Ａ】
2019503130.tif 000004
【図２Ｂ】
2019503130.tif 000005
【図２Ｃ】
2019503130.tif 000006
【図３】
2019503130.tif 000007
【図４Ａ】
2019503130.tif 000008
【図４Ｂ】
2019503130.tif 000009
【図４Ｃ】
2019503130.tif 000010
【図５】
2019503130.tif 000011
【図６】
2019503130.tif 000012
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
設定された期間中にチャネル分割パターンを設定することと、
前記チャネル分割パターンに基づいて、少なくとも１つのユーザ端末と通信することと、
を含み、
前記期間の開始時点は設定可能であり、前記期間の長さも設定可能であり、
チャネルが少なくとも１つの領域を含み、前記少なくとも１つの領域は時間領域における少なくとも１つのサブフレームを含む、
方法。
【請求項２】
開始サブフレームを前記開始時点として標示することをさらに含む、請求項１に記載の方法。
【請求項３】
前記チャネル分割パターンは、セル特有のチャネル分割パターンと、ユーザ端末特有のチャネル分割パターンとのうちの少なくとも一方を含む、請求項１に記載の方法。
【請求項４】
前記セル特有のチャネル分割パターンと、前記ユーザ端末特有のチャネル分割パターンとのうちの少なくとも一方を設定することは、物理層シグナリングまたは上位層シグナリングにより実行される、請求項３に記載の方法。
【請求項５】
前記セル特有のチャネル分割パターンは、システム情報ブロックまたはマスター情報ブロックを使用して前記ユーザ端末に対してシグナリングされる、請求項３に記載の方法。
【請求項６】
前記ユーザ端末特有のチャネル分割パターンは、前記セル特有のチャネル分割パターン、およびアクセスノードからシグナリングされたさらなる標示から推定可能である、請求項３に記載の方法。
【請求項７】
前記セル特有のチャネル分割パターンと、前記ユーザ端末特有のチャネル分割パターンとのうちの少なくとも一方を設定することは、物理ダウンリンクスケジューリングチャネル不連続送信の少なくとも１つの有効サブフレームを定義することを含む、請求項３に記載の方法。
【請求項８】
予定された送信が連続または不連続であることを標示することをさらに含む、請求項７に記載の方法。
【請求項９】
前記期間における、前記ユーザ端末がキャンプオンする領域を標示することをさらに含む、請求項１に記載の方法。
【請求項１０】
前記キャンプオンされる領域の周期性を標示することをさらに含む、請求項９に記載の方法。
【請求項１１】
前記ユーザ端末特有のチャネル分割パターンまたは前記セル特有のチャネル分割パターンの最小単位が、常に各サブフレームにおける物理リソースブロック内のリソース要素のすべてであるか、アクセスノードによりリソース要素のすべてまたは一部として設定可能である、請求項３に記載の方法。
【請求項１２】
前記チャネルは制御チャネル及びデータチャネルのうち少なくともいずれかである、請求項１に記載の方法。
【請求項１３】
設定された期間中にチャネル分割パターンを受信することと、
前記チャネル分割パターンに基づいて、アクセスノードを通信することと、
を含み、
前記期間の開始時点は設定可能であり、前記期間の長さも設定可能であり、
チャネルが少なくとも１つの領域を含み、前記少なくとも１つの領域は時間領域における少なくとも１つのサブフレームを含む、
方法。
【請求項１４】
前記チャネル分割パターンは、セル特有のチャネル分割パターンと、ユーザ端末特有のチャネル分割パターンとのうちの少なくとも一方を含む、請求項１３に記載の方法。
【請求項１５】
前記セル特有のチャネル分割パターンは、システム情報ブロックまたはマスター情報ブロックを使用して受信される、請求項１４に記載の方法。
【請求項１６】
前記チャネルは制御チャネル及びデータチャネルのうち少なくともいずれかである、請求項１３に記載の方法。
【請求項１７】
設定された期間中にチャネル分割パターンを設定する手段と、
前記チャネル分割パターンに基づいて、少なくとも１つのユーザ端末と通信する手段と、
を備え、
前記期間の開始時点は設定可能であり、前記期間の長さも設定可能であり、
チャネルが少なくとも１つの領域を含み、前記少なくとも１つの領域は時間領域における少なくとも１つのサブフレームを含む、
装置。
【請求項１８】
設定された期間中にチャネル分割パターンを受信する手段と、
前記チャネル分割パターンに基づいて、アクセスノードを通信する手段と、
を備え、
前記期間の開始時点は設定可能であり、前記期間の長さも設定可能であり、
チャネルが少なくとも１つの領域を含み、前記少なくとも１つの領域は時間領域における少なくとも１つのサブフレームを含む、
装置。
【請求項１９】
少なくとも１つのプロセッサと、コンピュータプログラムコードを含む少なくとも１つのメモリとを備える装置であって、前記コンピュータプログラムコードは、前記少なくとも１つのプロセッサに実行されると、前記装置に請求項１から１６のいずれかに記載の方法を少なくとも遂行させるように構成される、装置。
【請求項２０】
装置の処理手段に実行されると、前記装置に、請求項１から１６のいずれかに記載の方法を遂行させるように構成されるプログラム命令を備える、コンピュータプログラム。
【国際調査報告】
2019503130.tif 000013
2019503130.tif 000014